(57)【要約】【課題】指針が指示する情報を確実に報知することを可能とする文字板を備えた情報表示装置を提供すること。【解決手段】  小文字板１６ａ上に回転軸１７を中心として周方向に、第１情報項目表示部２５ａと第１状況表示部２６ａとが対をなして形成され、第２情報項目表示部２５ｂと第２状況表示部２６ｂとが対をなして形成され、副針１８の長針指示部１８ａおよび短針指示部１８ｂによって指示された情報項目およびこの情報項目に対応する具体的な状況の双方の組み合わせによって所定の情報を報知可能に構成されている。【選択図】図３
2010060355.tif 000002
【特許請求の範囲】
【請求項１】
文字板と、
回転軸を基点に互いに反対方向に延びた第１の指示部および第２の指示部を有し該回転軸を中心に前記文字板に対して相対的に回動可能に構成された指針と、
前記文字板上に形成され前記回転軸を中心とした周方向に延在し、前記第１の指示部で指示される情報項目表示部と、
前記文字板上に形成され前記回転軸を中心とした周方向に延在し、前記第２の指示部で指示され、且つ、前記情報項目表示部の情報項目に対応する具体的な複数の状況を表示するための状況表示部と、を備え、
前記情報項目表示部および前記状況表示部が対をなし、前記第１の指示部および前記第２の指示部で同時に指示された前記情報項目および前記状況の双方の組み合わせによって所定の情報を報知可能に構成されたことを特徴とする情報表示装置。
【請求項２】
前記情報項目表示部は、少なくとも、互いに異なる情報を報知するための第１情報項目表示部および第２情報項目表示部を有し、
前記第１情報項目表示部および前記第２情報項目表示部は、前記回転軸からの距離を異にして形成され、
前記状況表示部は、前記第１情報項目表示部と対をなす第１状況表示部と、前記第２情報項目表示部と対をなす第２状況表示部とを有し、
前記第１状況表示部および前記第２状況表示部は、前記回転軸からの距離を異にして形成されていることを特徴とする請求項１に記載の情報表示装置。
【請求項３】
前記第１情報項目表示部および前記第２情報項目表示部は、少なくとも一部同士が前記回転軸を中心とする同じ中心角範囲に収まるように前記文字板に形成され、
前記第１状況表示部および前記第２状況表示部は、少なくとも一部同士が前記回転軸を中心とする同じ中心角範囲に収まるように前記文字板に形成されていることを特徴とする請求項２に記載の情報表示装置。
【請求項４】
前記第１情報項目表示部および前記第１状況表示部に対する前記第１の指示部および前記第２の指示部の指示によって報知された情報は予定日までの残り日数を示す情報であり、前記第２情報項目表示部および前記第２状況表示部に対する前記第１の指示部および前記第２の指示部の指示によって報知された情報は予定時刻までの時間を表示する情報であることを特徴とする請求項２に記載の情報表示装置。
【請求項５】
前記第２情報項目表示部および前記第２状況表示部に対する前記第１の指示部および前記第２の指示部の指示によって報知された情報はバッテリ充電状態を示す情報であることを特徴とする請求項２に記載の情報表示装置。
【請求項６】
前記第１情報項目表示部および前記第１状況表示部に対する前記第１の指示部および前記第２の指示部の指示によって報知された情報は電波受信状態を示す情報であることを特徴とする請求項２に記載の情報表示装置。
【請求項７】
請求項１〜６のいずれか１項の情報表示装置と、この情報表示装置を駆動する時計ムーブメントとを備えたことを特徴する電子時計。
【発明の詳細な説明】
【技術分野】
【０００１】
本発明は、文字板を備えた情報表示装置に関し、例えば時計等の電子機器に搭載される情報表示装置に係るものである。
【背景技術】
【０００２】
従来、時計等に備えられた文字板においては、現在時刻とは別の機能表示を行う場合、文字板の中に小文字板を設けるとともに、小文字板内に時計用指針とは別の副針を設け、副針（指針）によって小文字板の文字等の情報を指示することで機能表示を行っていた（例えば、特許文献１参照）。
【特許文献１】実用新案登録第２６０１２２５号公報
【発明の開示】
【発明が解決しようとする課題】
【０００３】
指針で情報を指示する場合、文字板にはそれぞれ何を示すかの記号や文字等を情報目盛等の内側か外側に記述する必要がある。
しかしながら、一つの指針にて指示する情報が多くなると、記述する記号や文字等、情報目盛等もそれに連れて多くなり、サイズ的制約から、その分、記号や文字等や情報目盛等を小さくしたり、記号や文字等を省略せざるを得なかった。
そのため、記号や文字等や情報目盛等が小さく情報が読みにくかったり、記号や文字等が省略されている結果、何の情報なのかが判別しにくいことも多々あった。
【０００４】
本発明は、かかる問題点に鑑みなされたもので、指針が指示する情報を確実に報知することを可能とする文字板を備えた情報表示装置および電子時計を提供することを目的としている。
【課題を解決するための手段】
【０００５】
請求項１に記載の発明は、
文字板と、
回転軸を基点に互いに反対方向に延びた第１の指示部および第２の指示部を有し該回転軸を中心に前記文字板に対して相対的に回動可能に構成された指針と、
前記文字板上に形成され前記回転軸を中心とした周方向に延在し、前記第１の指示部で指示される情報項目表示部と、
前記文字板上に形成され前記回転軸を中心とした周方向に延在し、前記第２の指示部で指示され、且つ、前記情報項目表示部の情報項目に対応する具体的な複数の状況を表示するための状況表示部と、を備え、
前記情報項目表示部および前記状況表示部が対をなし、前記第１の指示部および前記第２の指示部で同時に指示された前記情報項目および前記状況の双方の組み合わせによって所定の情報を報知可能に構成されたことを特徴とする情報表示装置である。
【０００６】
請求項２に記載の発明は、請求項１に記載の情報表示装置において、
前記情報項目表示部は、少なくとも、互いに異なる情報を報知するための第１情報項目表示部および第２情報項目表示部を有し、
前記第１情報項目表示部および前記第２情報項目表示部は、前記回転軸からの距離を異にして形成され、
前記状況表示部は、前記第１情報項目表示部と対をなす第１状況表示部と、前記第２情報項目表示部と対をなす第２状況表示部とを有し、
前記第１状況表示部および前記第２状況表示部は、前記回転軸からの距離を異にして形成されていることを特徴とする。
【０００７】
請求項３に記載の発明は、請求項２に記載の情報表示装置において、
前記第１情報項目表示部および前記第２情報項目表示部は、少なくとも一部同士が前記回転軸を中心とする同じ中心角範囲に収まるように前記文字板に形成され、
前記第１状況表示部および前記第２状況表示部は、少なくとも一部同士が前記回転軸を中心とする同じ中心角範囲に収まるように前記文字板に形成されていることを特徴とする。
【０００８】
請求項４に記載の発明は、請求項２に記載の情報表示装置において、
前記第１情報項目表示部および前記第１状況表示部に対する前記第１の指示部および前記第２の指示部の指示によって報知された情報は予定日までの残り日数を示す情報であり、前記第２情報項目表示部および前記第２状況表示部に対する前記第１の指示部および前記第２の指示部の指示によって報知された情報は予定時刻までの時間を表示する情報であることを特徴とする。
【０００９】
請求項５に記載の発明は、請求項２に記載の情報表示装置において、
前記第２情報項目表示部および前記第２状況表示部に対する前記第１の指示部および前記第２の指示部の指示によって報知された情報はバッテリ充電状態を示す情報であることを特徴とする。
【００１０】
請求項６に記載の発明は、請求項２に記載の情報表示装置において、
前記第１情報項目表示部および前記第１状況表示部に対する前記第１の指示部および前記第２の指示部の指示によって報知された情報は電波受信状態を示す情報であることを特徴とする。
【００１１】
請求項７に記載の発明は、
請求項１〜６のいずれか１項の情報表示装置と、この情報表示装置を駆動する時計ムーブメントとを備えたことを特徴する電子時計である。
【発明の効果】
【００１２】
本発明によれば、一つの指針で情報項目と具体的状況とを表示するので、指針が指示する情報を確実に報知することが可能となる。
また、回転軸からの距離を違えて表示部を形成すれば、制限されたサイズ内での記載情報をより多くすることができ、指針の数を減らすことも可能となる。
【発明を実施するための最良の形態】
【００１３】
以下、本発明の実施の形態を図面に基づいて説明する。
【００１４】
以下、図１〜図８を参照して、この発明を指針式の腕時計に適用した実施形態について説明する。
この腕時計は、図１に示すように、時計本体を構成している腕時計ケース１を備えている。この腕時計ケース１の上部外周にはベゼル２が取り付けられており、この腕時計ケース１の上側開口部には時計ガラス３がパッキン３ａを介して取り付けられている。また、この腕時計ケース１の内部には、時計モジュール４が収容されており、この腕時計ケース１の下部には裏蓋５が防水リング５ａを介して取り付けられている。さらに、腕時計ケース１の外側面には、複数の押釦スイッチ（図示せず）が設けられている。
【００１５】
ここで、時計モジュール４は、図１に示すように、ハウジング６を備えている。このハウジング６内には、時計ムーブメント７が設けられている。また、このハウジング６の上には、文字板９がリング部材１０を介して配置されている。この場合、リング部材１０は、ハウジング６の上面における外周部に配置されている。リング状部材１０の上部における外周部には、リング状の下見切部材１１が設けられている。また、時計ガラス３の下面における外周部には、リング状の上見切部材１２が設けられている。
【００１６】
文字板９は、図２に示すように、全体がほぼ円形の円板状に形成されている。この文字板９の外周部には、図示はしないが、時字が１時から１２時の各時刻位置にそれぞれ対応して設けられている。
【００１７】
文字板９のほぼ中心部には、図１に示すように、時計ムーブメント７によって駆動される指針軸１４が挿入孔９ａを通して上方に突出した状態で設けられている。この指針軸１４の上部には、秒針１５ａ、分針１５ｂ、時針１５ｃなどの指針１５が取り付けられている。この指針１５は、文字板９の上方を運針して文字板９の時字を指示することにより、時刻を指示するように構成されている。
【００１８】
また、図２に示すように、文字板９には液晶パネルＰ１，Ｐ２が設けられている。さらに、文字板９の２時から４時付近までの箇所と８時から１０時付近までの箇所には、機能表示部１６，２１が設けられている。
【００１９】
次に、機能表示部１６を図１から図３に基づいて説明する。
機能表示部１６は、ユーザが設定した予定時刻までの「日数」や「分数」を表示する部分である。
この機能表示部１６には、図１に示すように、回転軸１７が軸挿入孔９ｂを通して文字板９の上方に突出した状態で設けられている。この回転軸１７の上部には、副針（指針）１８が取り付けられている。この副針１８は、図２および図３に示すように、回転軸１７を基点に互いに反対方向に延びる長針指示部１８ａと短針指示部１８ｂを有している。
【００２０】
また、機能表示部１６には、図２に示すように、円形の小文字板１６ａが設けられている。小文字板１６ａには、図３に示すように、第１情報項目表示部２５ａ、第２情報項目表示部２５ｂ、第１状況表示部（第１情報表示部）２６ａおよび第２状況表示部（第２情報表示部）２６ｂが回転軸１７と同心的に形成されている。
第１情報項目表示部２５ａおよび第２情報項目表示部２５ｂの各々は概ね小文字板１６ａの左半部に弧状に形成され、第１状況表示部２６ａおよび第２状況表示部２６ｂの各々は概ね小文字板１６ａの右半部に弧状に形成されている。そして、第１情報項目表示部２５ａは回転軸１７を挟んで第１状況表示部２６ａに対向し、第２情報項目表示部２５ｂは回転軸１７を挟んで第２状況表示部２６ｂに対向して延在している。
なお、第１情報項目表示部２５ａは第２情報項目表示部２５ｂよりも回転軸１７から遠い位置に形成され、第１状況表示部２６ａは第２状況表示部２６ｂよりも回転軸１７に近い位置に形成されている。
【００２１】
第１情報項目表示部２５ａおよび第１状況表示部２６ａは、副針１８によって、ユーザが設定した予定時刻までの「残り日数（７日前から当日（０日）まで）」を具体的に報知するためのものである。具体的には、副針１８の長針指示部１８ａが該第１情報項目表示部２５ａを指示することで、副針１８が「日数表示」を行っていることを報知し、短針指示部１８ｂが指示する第１状況表示部２６ａで残り「日数」を具体的に報知している。
この目的に鑑み、第１情報項目表示部２５ａおよび第１状況表示部２６ａは例えば次のように構成されている。
第１情報項目表示部２５ａは、小文字板１６ａの上側の点を基点として中心角２１０度の範囲に亘って弧状に形成されている。そして、第１情報項目表示部２５ａが延在する弧状領域には「日（Ｄａｙ）」の頭文字である「Ｄ」の文字が付記されている。
一方、第１状況表示部２６ａは、小文字板１６ａの下側の点を基点として中心角２１０度の範囲に亘って弧状に形成されている。そして、第１状況表示部２６ａが延在する弧状領域には小文字板１６ａの下側の点を基点（０）とし中心角３０度ごとに７までの数字が昇順で付記されている。
【００２２】
また、第２情報項目表示部２５ｂおよび第２状況表示部２６ｂは、副針１８によって、ユーザが設定した予定時刻までの「残り分数（６０分前から予定時刻（０分）まで）」を具体的に報知するためのものである。具体的には、副針１８の短針指示部１８ｂが該第２情報項目表示部２５ｂを指示することで、副針１８が「分数表示」を行っていることを報知し、長針指示部１８ａが指示する第２状況表示部２６ｂで残り「分数」を具体的に報知している。
この目的に鑑み、第２情報項目表示部２５ｂおよび第２状況表示部２６ｂは例えば次のように構成されている。
第２情報項目表示部２５ｂは、小文字板１６ａの上側の点を基点として中心角１８０度の範囲に亘って弧状に形成されている。そして、第２情報項目表示部２５ｂが延在する弧状領域には「分（Ｍｉｎｕｔｅｓ）」の頭文字を示す「Ｍ」の文字が付記されている。
一方、第２状況表示部２６ｂは、小文字板１６ａの下側の点を基点として中心角１８０度の範囲に亘って弧状に形成されている。そして、第２状況表示部２６ｂが延在する弧状領域には小文字板１６ａの下側の点を基点に中心角６度ごと２分刻みの分目盛が表示されているとともに、小文字板１６ａの下側の点を基点（０）とし中心角３０度ごとに１０、２０、３０、４０、５０，６０の数字が昇順で付記されている。
【００２３】
次に、機能表示部２１を図１、図２および図４に基づいて説明する。
機能表示部２１は、時計の「電波受信状態」や「バッテリ充電状態」を表示する部分である。
この機能表示部２１には、図１に示すように、回転軸２７が軸挿入孔９ｃを通して文字板９の上方に突出した状態で設けられている。この回転軸２７の上部には、副針（指針）２３が取り付けられている。この副針２３は、回転軸２７を基点に互いに反対方向に延びる長針指示部２３ａと短針指示部２３ｂを有している。
【００２４】
また、機能表示部２１には、図２に示すように、円形の小文字板２１ａが設けられている。小文字板２１ａには、図４に示すように、第１情報項目表示部２８ａ、第２情報項目表示部２８ｂ、第１状況表示部２９ａおよび第２状況表示部２９ｂが回転軸２７と同心的に形成されている。
第１情報項目表示部２８ａおよび第２情報項目表示部２８ｂの各々は小文字板２１ａの右半部に弧状に形成され、第１状況表示部２９ａおよび第２状況表示部２９ｂの各々は小文字板２１ａの左半部に弧状に形成されている。そして、第１情報項目表示部２８ａは回転軸２７を挟んで第１状況表示部２９ａに対向し、第２情報項目表示部２８ｂは回転軸２７を挟んで第２状況表示部２９ｂに対向して延在している。
なお、第１情報項目表示部２８ａは第２情報項目表示部２８ｂよりも回転軸２７から遠い位置に形成され、第１状況表示部２９ａは第２状況表示部２９ｂよりも回転軸２７に近い位置に形成されている。
【００２５】
第１情報項目表示部２８ａおよび第１状況表示部２９ａは、副針２３によって、時計の「電波受信状態」を具体的に報知するためのものである。
すなわち、第１情報項目表示部２８ａおよび第１状況表示部２９ａは、副針２３の長針指示部２３ａが該第１情報項目表示部２８ａを指示することで、副針２３が「受信状態表示」を行っていることを報知し、短針指示部２３ｂが指示する第１状況表示部２９ａで時計の「受信状態」を具体的に報知している。
この目的に鑑み、第１情報項目表示部２８ａおよび第１状況表示部２９ａは例えば次のように構成されている。
第１情報項目表示部２８ａは弧状に形成されている。そして、第１情報項目表示部２８ａが延在する弧状領域には「受信」を示す「ＲＥＣＥＩＶＥ」の文字が付記されている。
一方、第１状況表示部２９ａは、全体として弧状に形成されている。そして、第１状況表示部２９ａが延在する弧状領域には「Ｗ」および「Ｒ」の文字が付記されている。ここで、「Ｗ」は「Ｗｏｒｋ」の頭文字であり標準電波の受信中であること、「Ｒ」は「Ｒｅａｄｙ」の頭文字であり受信準備中であることを示している。なお、図４において「ＰＳ」は第１状況表示部２９ａを構成していない。この部分は、本発明の要部に関わりのない表示部であり、副針２３の短針指示部２３ｂが指示する際にはパワーセーブ中であることを表示するものである。
【００２６】
また、第２情報項目表示部２８ｂおよび第２状況表示部２９ｂは、副針２３によって、時計の「バッテリ充電状態」を具体的に報知するためのものである。
すなわち、第２情報項目表示部２８ｂおよび第２状況表示部２９ｂは、副針２３の短針指示部２３ｂが該第２情報項目表示部２８ｂを指示することで、副針２３が「バッテリ充電状態表示」であることを報知し、長針指示部２３ａが指示する第２状況表示部２９ｂで時計の「バッテリ充電状態」を具体的に報知している。
この目的に鑑み、第２情報項目表示部２８ｂおよび第２状況表示部２９ｂは例えば次のように構成されている。
第２情報項目表示部２８ｂは弧状に形成されている。そして、第２情報項目表示部２８ｂが延在する弧状領域には「バッテリ」を示す「ＢＡＴＴ」の文字が付記されている。
一方、第２状況表示部２９ｂは、全体として弧状に形成されている。そして、第２状況表示部２９ｂが延在する弧状領域には「ＣＨＧ」、「Ｌ」、「Ｍ」および「Ｈ」の文字が付記されている。ここで「ＣＨＧ」は充電中を表している。また、「Ｌ」は充電量が少ないこと、「Ｍ」は充電量が普通であること、「Ｈ」は充電量が多いことを表している。
【００２７】
次に、時計モジュール４の回路構成を図５のブロック図を用いて説明する。
時計モジュール４は、次のような回路構成を備える。すなわち、時計モジュール４は、アナログ表示時計の針１５ａ〜１５ｃや副針１８，２３の駆動を行う時計ムーブメント７と、ＣＰＵ（中央演算処理装置）を内蔵し装置の全体的な制御を行うマイクロコンピュータ３５と、制御プログラムや制御データを格納したＲＯＭ（Read Only Memory）３６と、ＣＰＵに作業用のメモリ空間を提供するＲＡＭ（Random Access Memory）３７と、時刻を計時するためのクロックを形成する発振回路３８および分周回路３９と、電池電圧から各部の電源を生成し供給するバッテリ４０と、時刻コードが含まれる標準電波を受信して取り込むアンテナ４１および検波回路４２と、検波回路で受信した標準電波に含まれる時刻コードに基づいて針位置を検出する針位置検出部１３と、時計表示部を照らす照明部４３および照明駆動回路４４と、アラーム出力を行うスピーカ４５およびブザー回路４６と、複数の操作スイッチからなる操作部４７等とを備える。
【００２８】
ここで、マイクロコンピュータ３５について詳述すれば、マイクロコンピュータ３５は、日付や時刻を計時する時刻カウンタを備えている。この時刻カウンタは、分周回路３９からのクロックによりカウントアップされて現在日時の計時を行う。また、マイクロコンピュータ３５は、検波回路４２により標準電波を受信した場合には、時刻コードが表わす値にこの時刻カウンタの値を修正して、現在時刻に内部の時刻を同期させる。また、マイクロコンピュータ３５は、針位置検出部１３で検出した針位置が正しくないとき針位置を補正する。さらに、マイクロコンピュータ３５は、バッテリ４０の受電状態の具体的状況や、標準電波の受信状態の具体的状況を判別する。
【００２９】
また、操作部４７は、時刻合わせや、予定日および予定時刻の設定、機能表示部１６，２１の表示モードの選択等に使用される。予定日および予定時刻の設定、機能表示部１６，２１の表示モードの選択にあたっては、適宜に、液晶パネルＰ１，Ｐ２が利用される。
【００３０】
次に、小文字板１６ａの使用方法を図６および図７に基づいて説明する。
この小文字板１６ａを使用する場合には、操作部４７によるタイムアップアラーム設定モードからアラームを鳴らしたい日時、例えば催し等の予定日および予定時刻を入力する。ここでは、７日よりも先の予定時刻を操作部４７から入力したものとして説明する。
この場合、予定日の７日前になったときには、図６（Ａ）に示すように、副針１８の長針指示部１８ａは第１情報項目表示部２５ａを指示する。これによってユーザは副針１８が報知する情報が残り「日数」であることを知る。同時に、副針１８の短針指示部１８ｂは第１状況表示部２６ａの「７」の数字を指示するので、ユーザは予定日までの日数が７日であることを知る。
【００３１】
予定日の６日前から１日前までについても、図７に示すように副針１８は残り日数を具体的に報知する。例えば予定日の４日前になったときには、図６（Ｂ）および図７に示すように、副針１８の長針指示部１８ａは第１情報項目表示部２５ａを指示し、副針１８の短針指示部１８ｂは第１状況表示部２６ａの「４」の数字を指示する。これによってユーザは予定日までの日数が４日であることを知る。
【００３２】
次に、例えば予定日当日となり且つ予定時刻までの時間が６０分以上あるときには、図６（Ｃ）および図７に示すように、副針１８の長針指示部１８ａは第１情報項目表示部２５ａを指示し、副針１８の短針指示部１８ｂは第１状況表示部２６ａの「０」の数字を指示する。これにより、ユーザは予定日当日で予定時刻までの時間が６０分以上あることを知る。
【００３３】
次に、例えば予定日当日で予定時刻６０分を切ったときには、図７に示すように、副針１８の短針指示部１８ｂは第２情報項目表示部２５ｂを指示し、副針１８の長針指示部１８ａは予定時刻までの分数に応じた箇所を第２状況表示部２６ｂ上で指示する。例えば、予定時刻までの分数が４５分の場合には、副針１８の長針指示部１８ａは図６（Ｄ）および図７に示すように「４５」の数字に対応した箇所を指示する。これによって、ユーザは予定時刻の４５分前であることを知る。
【００３４】
また、例えば予定時刻が到来したときには、図６（Ｅ）および図７に示すように、副針１８の短針指示部１８ｂは第２情報項目表示部２５ｂを指示し、副針１８の長針指示部１８ａは「０」の数字を指示する。これによって、ユーザは予定時刻の到来を知る。同時にスピーカ４５からはアラーム音がなることになる。また、図６（Ａ）〜図６（Ｅ）に示した副針１８による指示状態は、ユーザがその都度、操作部４７の操作による予定時刻確認モードを選択することでなるようにしてもよい。
以上のように、タイムアップアラームの機能表示において、副針１８の長針指示部１８ａと短針指示部１８ｂにより、簡単な文字を表示する情報項目表示部と、より具体的な数値を表示する状況表示部とを同時に指示するので、副針１８が指示する情報を確実に報知することが可能となる。また、副針１８が何を指示しているのか見やすく、ユーザが認識しやすくなる。また、回転軸からの距離を変えて第１及び第２情報項目表示部と第１及び第２状況表示部を形成しているので、制限されたサイズ内での記載情報をより多くすることができ、指針の数を減らすことも可能となる。効率よくユーザにより多くの情報を報知することが可能となる。
【００３５】
次に、小文字板２１ａの使用方法を図８および図９に基づいて説明する。
操作部４７を操作して電波受信状態確認モードを選択すると、副針２３の長針指示部２３ａは第１情報項目表示部２８ａを指示し、副針２３の短針指示部２３ｂは受信状態に応じて「Ｗ」または「Ｒ」を第１状況表示部２９ａ上で指示する。その指示例が図８（Ａ）に示されている。ここでは副針２３の長針指示部２３ａは第１情報項目表示部２８ａを指示し、副針２３の短針指示部２３ｂは図９に示すように「Ｒ」を指示している。この場合、ユーザは標準電波の受信準備中であることを知る。
また、操作部４７を操作してバッテリ充電状態確認モードを選択すると、副針２３の短針指示部２３ｂは第２情報項目表示部２８ｂを指示し、副針２３の長針指示部２３ａはバッテリ充電状態に応じて「ＣＨＧ」、「Ｌ」、「Ｍ」または「Ｈ」を第２状況表示部２９ｂ上で指示する。その指示例が図８（Ｂ）に示されている。ここでは副針２３の短針指示部２３ｂは第２情報項目表示部２８ｂを指示し、副針２３の長針指示部２３ａは図９に示すように「Ｍ」を指示している。この場合、ユーザはバッテリの充電量が普通であることを知る。
以上のように、電波受信状態及びバッテリ充電状態の機能表示においても、副針１８の長針指示部１８ａと短針指示部１８ｂにより、簡単な文字を表示する情報項目表示部と、より具体的な内容の文字を表示する状況表示部とを同時に指示するので、副針１８が指示する情報を確実に報知することが可能となる。また、副針１８が何を指示しているのか見やすく、ユーザが認識しやすくなる。また、回転軸からの距離を変えて第１及び第２情報項目表示部と第１及び第２状況表示部を形成しているので、制限されたサイズ内での記載情報をより多くすることができ、指針の数を減らすことも可能となる。効率よくユーザにより多くの情報を報知することが可能となる。
【００３６】
以上、本発明の実施形態について説明したが、本発明は、上記実施形態に限定されるものでなく、その要旨を変更しない範囲で種々変形可能であることはいうまでもない。
【００３７】
上記実施形態では、報知すべき情報として、予定日までの日数、予定時刻までの分数、電波受信状態、バッテリ充電状態を例に挙げたが、大きさの単位換算、通過換算、時速換算等の場合にも適用できる。時速換算の例として、第１情報項目表示部にマイルを表す「ｍｉｌｅ／ｈ」とし回転軸を挟んで対向する第１状況表示部には「６０」など数字を表示し、第２情報項目表示部にキロを表す「Ｋｍ／ｈ」とし回転軸を挟んで対向する第２状況表示部には「６０」など数字を表示することで、ユーザの操作部４７の操作により、時速１００Ｋｍ／ｈは時速６２ｍｉｌｅ／ｈといった時速換算モードを実現することもできる。同様に通過換算の例として、第１情報項目表示部にドルを表す「＄」とし回転軸を挟んで対向する第１状況表示部には「１００」など数字を表示し、第２情報項目表示部に円を表す「￥」とし回転軸を挟んで対向する第２状況表示部には「１００００」など数字を表示することで、ユーザの操作部４７の操作により、１００＄は￥１００００といった通過換算モードを実現することもできる。また、報知すべき情報は、予定時刻までの分数ではなく、時間数とすることもできる。
【図面の簡単な説明】
【００３８】
【図１】本発明を腕時計に適用した実施形態における要部の拡大断面図である。
【図２】図１の腕時計の一部を示す正面図である。
【図３】図１の腕時計の小文字板を示す正面図である。
【図４】図１の腕時計の他の小文字板を示す正面図である。
【図５】図１の腕時計の時計モジュールの回路構成を示すブロック図である。
【図６】図１の腕時計の文字板の機能を説明するための図である。
【図７】図１の腕時計の文字板の機能を説明するための図表である。
【図８】図１の腕時計の文字板の機能を説明するための図である。
【図９】図１の腕時計の文字板の機能を説明するための図表である。
【符号の説明】
【００３９】
１    腕時計ケース
１６ａ，２１ａ  小文字板（文字板）
１７，２７  回転軸
１８，２３  副針（指針）
１８ａ，２３ａ  長針指示部
１８ｂ，２３ｂ  短針指示部
２５ａ  第１情報項目表示部
２５ｂ  第２情報項目表示部
２６ａ  第１状況表示部
２６ｂ  第２状況表示部
２８ａ  第１情報項目表示部
２８ｂ  第２情報項目表示部
２９ａ  第１状況表示部
２９ｂ  第２状況表示部
【図１】
2010060355.tif 000003
【図５】
2010060355.tif 000004
【図７】
2010060355.tif 000005
【図９】
2010060355.tif 000006
【図２】
2010060355.tif 000007
【図３】
2010060355.tif 000008
【図４】
2010060355.tif 000009
【図６】
2010060355.tif 000010
【図８】
2010060355.tif 000011